(57)【要約】【課題】専用作業端末装置及び小型携帯メモリの不正使用を阻止することを可能にしたエレベーター作業支援装置の提供。【解決手段】上記課題は、専用作業端末装置１３に、この専用作業端末装置１３の携帯及び使用を許可された作業者の個人情報及び専用作業端末装置１３を特定するための固有情報からなる認証情報を格納した第１認証情報格納部２２を設けるとともに、この第１認証情報格納部２２に保存した認証情報と同じ認証情報を格納する第２認証情報格納部２６を有する小型携帯メモリ１４を設け、この小型携帯メモリ１４を専用作業端末装置１３に接続して、第１認証情報格納部２２と第２認証情報格納部２６の認証情報が一致していることが専用作業端末装置１３で判定されたときに、専用作業端末装置１３に格納した作業支援ソフトの使用が可能となる構成とすることにより、達成できる。【選択図】図２
2006143361.tif 000002
【特許請求の範囲】
【請求項１】
エレベーターの運転制御を行う制御部及びエレベーターの運転に必要となる種々の制御定数を任意の値に設定する定数設定部を包含する制御盤と、この制御盤に接続され、かつ、エレベーターの据付け作業、検査作業及び保守作業に必要な作業支援ソフトを格納してなる専用作業端末装置とを備えたエレベーター作業支援装置において、前記専用作業端末装置に、この専用作業端末装置の携帯及び使用を許可された作業者の個人情報及び前記専用作業端末装置を特定するための固有情報からなる認証情報を少なくとも格納した第１認証情報格納部を設けるとともに、この第１認証情報格納部に保存した前記認証情報と同じ認証情報を格納する第２認証情報格納部を少なくとも有する小型携帯メモリを設け、この小型携帯メモリを前記専用作業端末装置に接続して、前記第１認証情報格納部と前記第２認証情報格納部の認証情報が一致していることが前記専用作業端末装置で判定されたときに、前記専用作業端末装置に格納した前記作業支援ソフトの使用が可能となるようにしたことを特徴とするエレベーター作業支援装置。
【請求項２】
前記専用作業端末装置の第１認証情報格納部に格納した前記専用作業端末装置の使用期限情報と前記小型携帯メモリの第２認証情報格納部に格納した使用期限情報
が一致していることが前記専用作業端末装置で判定されたときに、前記専用作業端末装置が起動可能となるようにしたことを特徴とする請求項１記載のエレベーター作業支援装置。
【請求項３】
前記専用作業端末装置を、作業者の出動拠点にて、少なくとも、専用作業端末装置の携帯及び使用を許可された作業者の個人情報及び前記専用作業端末装置を特定するための固有情報からなる認証情報を記憶するセンター装置に、通信回線を介して接続することで、その認証情報を受信して前記第１認証情報格納部に格納するようにしたことを特徴とする請求項１若しくは２記載のエレベーター作業支援装置。
【発明の詳細な説明】
【技術分野】
【０００１】
本発明は、エレベーターの据付け作業、検査作業及び保守作業を行う際に、作業者を支援するエレベーター作業支援装置に関するものである。
【背景技術】
【０００２】
一般に、エレベーターに関する作業としては、エレベーターを建物に据付ける据付け作業、据付け後のエレベーターの検査作業及び顧客引渡し後の性能を維持管理する保守作業がある。これら作業のうち、据付け作業の際には、エレベーターの各種制御定数の設定及び据付け作業を実施する特殊な運転指令を行う必要がある。また、検査作業の際には、顧客にエレベーターを引き渡す最終段階での詳細な制御定数の設定を行う必要がある。また、保守作業の際には、エレベーターの運行を維持管理するためのエレベーターの各種状態の読み出しや部品交換後の制御定数の変更作業を行う必要がある。
【０００３】
そして、これら各種の制御定数の設定やエレベーターの運転指令などを行う場合に、エレベーターの制御部がマイコン化されているので、専用作業端末装置（キャリコン）を使用するようにしている。すなわち、エレベーターの運転制御を行う制御部及びエレベーターの運転に必要となる種々の制御定数を任意の値に設定する定数設定部を包含する制御盤とエレベーターの据付け作業、検査作業及び保守作業に必要な作業支援ソフトを格納してなる専用作業端末装置とを、無線で接続して、その専用作業端末装置を操作することにより、エレベーターの保全運転や保全データの収集を行うようにしている（例えば、特許文献１参照）。
【特許文献１】特開平１１−２６３５４６号公報（段落番号００１３〜段落番号００１６、図３）
【発明の開示】
【発明が解決しようとする課題】
【０００４】
ところが、近年、保守作業用に使用されていた上記特開平１１−２６３５４６号公報に記載の専用作業端末装置に、エレベーターの作業全般に支援する作業部門毎の作業支援ソフトを格納させて、これら作業支援ソフトにより、各種作業を実行するようにしたエレベーター作業支援装置が開発されている。すなわち、据付け作業を実施する特殊な運転指令などの送信を行わせる据付け作業支援ソフト、エレベーターの品質を維持させる制御定数などの設定を行わせる検査作業支援ソフト、エレベーターの稼動データを読み出して種々のエレベーター機器及び部品の故障及び劣化状態の確認を行わせる保守作業支援ソフトなどを使用して、エレベーターの据付け作業、検査作業及び保守作業が、効率よく行われるようにしている。
【０００５】
しかしながら、上記開発中のエレベーター作業支援装置にあっては、各種の作業支援ソフトを格納した専用作業端末装置を作動させることが、その専用作業端末装置の携帯及び使用を許可された作業者以外の者でも、作動させることができるために、専用作業端末装置の携帯及び使用を許可された作業者の不注意によって紛失してしまったり若しくは盗難されたりした場合などに、専用作業端末装置が不正に使用されてエレベーターが誤操作してしまったり、あるいは、専用作業端末装置に格納された各種の作業支援ソフトが、エレベーターの据付け作業、検査作業若しくは保守作業を行う会社関係者以外の者に、簡単に漏洩してしまったりするという問題があった。
【０００６】
本発明は、上述した従来技術における実状からなされたもので、その目的は、専用作業端末装置の携帯及び使用を許可された作業者以外の者によって、その専用作業端末装置が作動させられることのないエレベーター作業支援装置を提供することにある。
【課題を解決するための手段】
【０００７】
上記目的を達成するために、本発明は、エレベーターの運転制御を行う制御部及びエレベーターの運転に必要となる種々の制御定数を任意の値に設定する定数設定部を包含する制御盤と、この制御盤に接続され、かつ、エレベーターの据付け作業、検査作業及び保守作業に必要な作業支援ソフトを格納してなる専用作業端末装置とを備えたエレベーター作業支援装置において、前記専用作業端末装置に、この専用作業端末装置の携帯及び使用を許可された作業者の個人情報及び前記専用作業端末装置を特定するための固有情報からなる認証情報を少なくとも格納した第１認証情報格納部を設けるとともに、この第１認証情報格納部に保存した前記認証情報と同じ認証情報を格納する第２認証情報格納部を少なくとも有する小型携帯メモリを設け、この小型携帯メモリを前記専用作業端末装置に接続して、前記第１認証情報格納部と前記第２認証情報格納部の認証情報が一致していることが前記専用作業端末装置で判定されたときに、前記専用作業端末装置に格納した前記作業支援ソフトの使用が可能となるようにしたことを特徴としている。
【０００８】
さらに、本発明は、前記専用作業端末装置の第１認証情報格納部に格納した前記専用作業端末装置の使用期限情報と前記小型携帯メモリの第２認証情報格納部に格納した使用期限情報が一致していることが前記専用作業端末装置で判定されたときに、前記専用作業端末装置が起動可能となるようにしたことを特徴としている。
【０００９】
さらに、本発明は、前記専用作業端末装置を、作業者の出動拠点にて、少なくとも、専用作業端末装置の携帯及び使用を許可された作業者の個人情報及び前記専用作業端末装置を特定するための固有情報からなる認証情報を記憶するセンター装置に、通信回線を介して接続することで、その認証情報を受信して前記第１認証情報格納部に格納するようにしたことを特徴としている。
【発明の効果】
【００１０】
本発明によれば、専用作業端末装置の第１認証情報格納部に格納した認証情報と小型携帯メモリの第２認証情報格納部の認証情報が一致しないと、専用作業端末装置が作動しないので、専用作業端末装置の携帯及び使用を許可された作業者以外の者によって、専用作業端末装置が不正に使用されて、エレベーターが誤動作させられたり、専用作業端末装置に格納されている作業支援ソフトの改ざん若しくは盗難が行われたりするのを阻止しえるエレベーター作業支援装置を提供できる。
【発明を実施するための最良の形態】
【００１１】
以下、本発明に係るエレベーター作業支援装置の一実施形態を、図１〜図７に基づいて詳説する。
【００１２】
図１に示すエレベーター１は、電動機２と、この電動機２により駆動される巻上機３と、この巻上機３及び反らせ車４に巻き掛けられた主ロープ５と、この主ロープ５で連結されて釣瓶式に昇降する乗りかご６及び釣合いおもり７と、電動機２への駆動指令を含む各種制御指令を送信して乗りかご６の運転を制御する制御盤８とを備えている。電動機２、巻上機３、反らせ車４及び制御盤８は、機械室９に設置されている。乗りかご６及び釣合いおもり７は、昇降路１０内を昇降するようにしてある。
【００１３】
本実施形態のエレベーター作業支援装置１１は、制御盤８に内蔵された図２に示すエレベーター制御用マイクロコンピューター１２（以下、制御用マイコン１２と称する）と、専用作業端末装置（キャリコン）１３と、小形携帯メモリ１４とから構成されている。専用作業端末装置１３は、図１に示すように制御用マイコン１２に有線若しくは無線などの電気通信回線により接続されるとともに、図１に示すように電話回線１５などの電気通信回線によりセンター装置１６に接続されている。センター装置１６は、エレベーター１の遠隔監視などを行う保守会社などの施設に設置されている。
【００１４】
制御用マイコン１２は、図２に示すように、エレベーターの運転制御指令を出力する制御部１７と、エレベーターの運転に必要となる種々の制御定数を任意の値に設定する定数設定部１８と、機能選択部１９と、制御用マイコン側のデータ入出力部２０（以下、マイコン側入出力部２０と称する）を、少なくとも備えている。制御部１７及び定数設定部１８は、専用作業端末装置１３から出力される作動指令に応じて、それぞれ作動するようにしてある。
【００１５】
制御用マイコン１２の制御部１７は、例えば、エレベーターの保全作業時における保全運転や専用運転などの特殊運転指令を出力することも可能なように設計されている。定数設定部１８は、エレベーターを運転制御する定数を設定するものであって、例えば、据付け作業の際にはエレベーターの各機能を立ち上げる初期設定データの設定が行われ、かつ、検査作業の際にはエレベーター制御状態の微調整を実施するデータの設定が行われるように設計されている。機能選択部１９は、専用作業端末装置１３からの個人情報を認識し、その個人情報に基づいて専用作業端末装置１３から出力される作動指令を有効とするか否かを、予め定められた機能選択データを用いて、判別するように設計されている。
【００１６】
専用作業端末装置１３は、図２に示すように、専用作業端末装置１３内に設けたデータ入出力部２１（以下、専用作業端末側入出力部２１と称する）、第１認証情報格納部２２と、作業支援ソフト格納部２３と、専用作業端末装置１３内に設けた外部インターフェース２４（以下、専用作業端末側インターフェース２４と称する）とを、少なくとも備えている。専用作業端末側入出力部２１は、制御用マイコン１２のマイコン側入出力部２０との間で各種データの授受を行う機能を有している。
【００１７】
第１認証情報格納部２２には、図３に示す、保守作業、据付け作業若しくは検査作業を識別するための作業別コードＤ１、専用作業端末装置１３の携帯及び使用を許可された作業者を特定する個人情報Ｄ２及び専用作業端末装置１３を特定するための固有情報（専用作業端末装置１３を特定する固有コードの情報）などからなる認識情報２７や専用作業端末装置１３の使用期限情報（カレンダー）Ｄ３などが、格納される。個人情報Ｄ２には、氏名コードや職制コードなどが含まれる。作業支援ソフト格納部２３には、図４に示すエレベーター調整データＨ１及びブレーキ調整データＨ２や運転コードなどの作業用データ２８を含むところの、各種の保守作業、据付け作業及び検査作業に必要な作業支援ソフトが格納されている。使用期限情報（カレンダー）Ｄ３としては、作業支援ソフト格納部２３に格納された作業支援ソフトの使用有効期限などが含まれている。
【００１８】
小形携帯メモリ１４は、図２に示すように、小形携帯メモリ１４内に設けた外部インターフェース２５（以下、小形携帯メモリ側インターフェース２５と称する）と、第２認証情報格納部２６とを、少なくとも備えている。小形携帯メモリ側インターフェース２５は、専用作業端末装置１３の専用作業端末側インターフェース２４との間で各種データの授受を行う機能を有している。第２認証情報格納部２６には、専用作業端末装置１３の携帯及び使用を許可された作業者を特定する個人情報Ｄ２や専用作業端末装置１３を特定するための固有情報などの、第１認証情報格納部２２に格納されている認識情報２５と同一の認識情報が格納される。小形携帯メモリ１４は、専用作業端末装置１３に差し込んでその専用作業端末装置１３と機械的に一体化したときに、専用作業端末側インターフェース２４と小形携帯メモリ側インターフェース２５とが電気的に接続され、しかも、専用作業端末装置１３から引き抜いてその専用作業端末装置１３から機械的に分離したときに、専用作業端末側インターフェース２４から小形携帯メモリ側インターフェース２５が電気的に切り離されるようにしてある。
【００１９】
上記構成からなるエレベーター作業支援装置１１の使用手順を、図５に基づいて、詳説する。
【００２０】
まず、専用作業端末装置１３を配布管理する部署（主要部門）において、図５のステップＳ１に示すように、小形携帯メモリ１４を配布する各出動拠点（営業所）先と配布した小形携帯メモリ１４の数を、事前に調査し集計しておく（事前集計工程）。
【００２１】
次いで、集計が終了したならば、図５のステップＳ２に示すように、専用作業端末装置１３をセンター装置１６に接続して、そのセンター装置１６に格納されているところの、各出動拠点（営業所）に配布する専用作業端末装置１３の固有情報及び専用作業端末装置１３の携帯及び使用を許可された作業者の個人情報などからなる認識情報２７や使用期限情報（カレンダー）Ｄ３を、専用作業端末装置１３の第１認証情報格納部２２に書込む（第１認証情報格納部への書込み工程）。
【００２２】
次いで、図５のステップＳ３に示すように、小形携帯メモリ１４をセンター装置１６に接続して、専用作業端末装置１３の第１認証情報格納部２２に書込まれた固有情報及び個人情報からなる認識情報と同一の固有情報及び個人情報を、小形携帯メモリ１４の第２認証情報格納部２６に書込む（第２認証情報格納部への書込み工程）。
【００２３】
次いで、図５のステップＳ４に示すように、小形携帯メモリ１４をセンター装置１６に接続して、専用作業端末装置１３の使用期限情報を、小形携帯メモリ１４の第２認証情報格納部２６に書込む（カレンダー書込み工程）。
【００２４】
次いで、小形携帯メモリ１４の第２認証情報格納部２６への書込みが終了したならば、図５のステップＳ５に示すように、各出動拠点（営業所）先で待機しているところの、エレベーターの据付け作業、検査作業若しくは保守作業を行う各作業者に、それぞれ自分の個人情報が第２認証情報格納部２６に書込まれているところの小形携帯メモリ１４が配布される。
【００２５】
次いで、小形携帯メモリ１４を配布された作業者は、エレベーターの据付け作業、検査作業若しくは保守作業を行う際に、小形携帯メモリ１４を専用作業端末装置１３に接続する。すると、図５のステップＳ７に示すように、専用作業端末装置１３に小形携帯メモリ１４が接続されたか否かが、専用作業端末装置１３で判定される。
【００２６】
図５のステップＳ７において、小形携帯メモリ１４が専用作業端末装置１３に接続されていない（小形携帯メモリ１４の未使用状態）と判定された場合には、図５のステップＳ１１に示すように、専用作業端末装置１３が起動しない（起動不能）。また、図５のステップＳ７において、小形携帯メモリ１４が専用作業端末装置１３に接続されている（小形携帯メモリ１４の使用状態）と判定された場合には、図５のステップＳ８に進む。
【００２７】
図５のステップＳ８においては、専用作業端末装置１３の第１認証情報格納部２２に書込まれている認識情報と小形携帯メモリ１４の第２認証情報格納部２６に書込まれている認識情報とが一致するか否かが、専用作業端末装置１３で判定される。そして、一致していない場合には、図５のステップＳ１１に進んで、専用作業端末装置１３が起動しない（起動不能）。また、図５のステップＳ８において、第１認証情報格納部２２に書込まれている認識情報と小形携帯メモリ１４の第２認証情報格納部２６に書込まれている認識情報とが一致している場合には、図５のステップＳ９に進む。
【００２８】
次いで、図５のステップＳ９では、専用作業端末装置１３の第１認証情報格納部２２に書込まれている使用期限情報と小形携帯メモリ１４の第２認証情報格納部２６に書込まれた使用期限情報とを比較して、専用作業端末装置１３の使用期限が切れたか否かが、専用作業端末装置１３で判定される。そして、専用作業端末装置１３の第１認証情報格納部２２に書込まれている使用期限情報と小形携帯メモリ１４の第２認証情報格納部２６に書込まれている使用期限情報とが一致していない場合には、図５のステップＳ１１に進んで、専用作業端末装置１３が起動しない（起動不能）。また、専用作業端末装置１３の第１認証情報格納部２２に書込まれている使用期限情報と小形携帯メモリ１４の第２認証情報格納部２６に書込まれている使用期限情報とが一致している場合には、図５のステップＳ１０に進む。
【００２９】
次いで、図５のステップＳ１０では、専用作業端末装置１３が起動して、専用作業端末装置１３の作業支援ソフト格納部２３に格納されている各種の作業支援ソフトの使用が可能となり、据付け作業、検査作業若しくは保守作業が実行される。
【００３０】
以上のように、上記実施形態のエレベーター作業支援装置１１によれば、専用作業端末装置１３に小形携帯メモリ１４を接続しないと、専用作業端末装置１３が起動しないので、万一、専用作業端末装置１３のみを紛失したりあるいは盗難されたりして、その専用作業端末装置１３を他人によって悪戯されても、エレベーター１が作動させられることがない。また、専用作業端末装置１３に格納された認識情報と小形携帯メモリ１４に格納された認識情報とが一致しないと、専用作業端末装置１３が起動しないので、作業者が携帯すべき小形携帯メモリ１４が盗難されて、その小形携帯メモリ１４を、盗難した者が、専用作業端末装置１３以外の他の専用作業端末装置に接続しても、その他の専用作業端末装置が起動させられることがない。
【００３１】
したがって、上記実施形態のエレベーター作業支援装置１１によれば、作業者の不注意で専用作業端末装置１３を紛失した場合若しくは専用作業端末装置１３が盗難された場合であっても、その紛失若しくは盗難にあった作業者が携帯する小形携帯メモリ１４以外の他の小形携帯メモリを用いて、その紛失若しくは盗難にあった専用作業端末装置１３が使用されることがない。
【００３２】
さらに、上記実施形態のエレベーター作業支援装置１１によれば、使用期限の切れた小形携帯メモリ１４を拾った者が、その小形携帯メモリ１４を専用作業端末装置１３に接続しても、専用作業端末装置１３を起動させられることがない。また、専用作業端末装置１３Ａ及び小形携帯メモリ２０Ａの携帯及び使用を許可された作業者Ａと、専用作業端末装置１３Ｂ及び小形携帯メモリ２０Ｂの携帯及び使用を許可された作業者Ｂとが、図７の点線矢印で示すように、小形携帯メモリ２０Ａと小形携帯メモリ２０Ｂを貸し借りして使用しても、すなわち、作業者Ａが専用作業端末装置１３Ａに小形携帯メモリ２０Ｂを、かつ、作業者Ｂが専用作業端末装置１３Ｂに小形携帯メモリ２０Ａを、それぞれ接続しても、専用作業端末装置１３Ａ、１３Ｂが起動することがない。
【００３３】
さらに、上記実施形態のエレベーター作業支援装置１１では、専用作業端末装置１３の第１認証情報格納部２２に書込まれている認識情報と小形携帯メモリ１４の第２認証情報格納部２６に書込まれている認識情報とが一致せずに、図５のステップＳ８から図５のステップＳ１１に進んで、専用作業端末装置１３が起動不能になった場合は、図６に示すように、小形携帯メモリ２０をセンター装置１６に接続してなる書込み修正パソコン２９に接続した後、書込み修正パソコン２９に内蔵された認識情報修正ソフトを用いて、修正させることができる。したがって、専用作業端末装置１３の携帯及び使用を許可された作業者が、配置転換、退職などの理由によって、変更された場合に、小形携帯メモリ１４の第２認証情報格納部２６に書込まれている認識情報を簡単に修正することができる。
【００３４】
さらに、上記実施形態のエレベーター作業支援装置１１では、図５のステップＳ９から図５のステップＳ１１に進んで、専用作業端末装置１３が起動不能になった場合は、図６に示すように、小形携帯メモリ２０をセンター装置１６に接続してなる書込み修正パソコン２９に接続した後、書込み修正パソコン２９に内蔵された期限更新ソフトを用いて、更新させることができる。したがって、専用作業端末装置１３及び小形携帯メモリ２０の使用期限が切れたりあるいは使用期限に近づいたりして、使用期限を延長させたい場合に、小形携帯メモリ１４の第２認証情報格納部２６に書込まれている専用作業端末装置１３の使用期限を簡単に修正することができる。
【００３５】
上記実施形態のエレベーター作業支援装置１１における専用作業端末装置１３とセンター装置１６との接続は、有線方式に限定されず、無線方式であってもよい。
【図面の簡単な説明】
【００３６】
【図１】本発明の一実施形態に係わるエレベーター作業支援装置の全体概略構造図である。
【図２】本発明の一実施形態に係わるエレベーター作業支援装置の要部機能ブロック図である。
【図３】本発明の一実施形態に係わるエレベーター作業支援装置の専用作業端末装置及び小型携帯メモリ内に書込まれる認証情報を示す図である。
【図４】本発明の一実施形態に係わるエレベーター作業支援装置の専用作業端末装置に書込まれる作業用データを示す図である。
【図５】本発明の一実施形態に係わるエレベーター作業支援装置の使用手順を示すフローチャートである。
【図６】本発明の一実施形態に係わるエレベーター作業支援装置の小型携帯メモリの書込み修正作業の説明図である。
【図７】本発明の一実施形態例に係わるエレベーター作業支援装置の小型携帯メモリの貸し借りの説明図である。
【符号の説明】
【００３７】
１    エレベーター
２    電動機
３    巻上機
６    乗りかご
７    釣合いおもり
８    制御盤
１１  エレベーター作業支援装置
１２  エレベーター制御用マイコン（制御用マイコン）
１３  専用作業端末装置
１４  小形携帯メモリ
１５  電話回線
１６  センター装置
１７  制御部
１８  定数設定部
１９  機能選択部
２０  データ入出力部（マイコン側入出力部）
２１  データ入出力部（専用作業端末側入出力部）
２２  第１認証情報格納部
２３  作業支援ソフト格納部
２４  外部インターフェース（専用作業端末側インターフェース）
２５  外部インターフェース（小形携帯メモリ側インターフェース）
２６  第２認証情報格納部
２７  認識情報
２８  作業用データ
２９  書込み修正パソコン
【図１】
2006143361.tif 000003
【図２】
2006143361.tif 000004
【図３】
2006143361.tif 000005
【図４】
2006143361.tif 000006
【図５】
2006143361.tif 000007
【図６】
2006143361.tif 000008
【図７】
2006143361.tif 000009